(57)【要約】【課題】  被破砕物のスクリーンでの残留を防止しして、排出効率ひいてはその処理能力の向上を図ることが可能な破砕装置を提供すること。【解決手段】  ケーシングと、上記ケーシング内に回転可能に設置され外周部に複数個のスウィングハンマを備えている回転体と、上記ケーシング内であって上記回転体の外周側に設置されたスクリーンと、を備え、上記回転体を回転させることにより導入された被破砕物を上記スウィングハンマによって破砕してスクリーンを通過させる破砕装置において、上記スクリーンの軸方向略全領域又は全領域において上記スウィングハンマの最外周端が回転・通過するように構成したもの。【選択図】  図４
2008000656.tif 000002
【特許請求の範囲】
【請求項１】
ケーシングと、上記ケーシング内に回転可能に設置され外周部に複数個のスウィングハンマを備えている回転体と、上記ケーシング内であって上記回転体の外周側に設置されたスクリーンと、を備え、上記回転体を回転させることにより導入された被破砕物を上記スウィングハンマによって破砕してスクリーンを通過させる破砕装置において、
上記回転体は、シャフトと、上記シャフトの外周に積層・配置された複数枚のディスクとから構成され、
上記各ディスクの外周部にはスウィングハンマ取付部が設けられていて、
上記複数枚のディスクは隣接するディスクのスウィングハンマ取付部が干渉しない位置関係で積層・配置されていて、
隣接する何れか一方のディスクのスウィングハンマが何れか他方のディスク側に該他方のディスクの厚み分又は略厚み分と重なるように突出・配置されていて、  
以下、同様の規則に沿って各ディスクにスウィングハンマを取り付けることにより全体として上記スクリーンの軸方向略全領域又は全領域においてスウィングハンマの最外周端が回転・通過するように構成したことを特徴とする破砕装置。
【請求項２】
請求項１記載の破砕装置において、
上記各ディスクには１８０°の対向位置に一対のスウィングハンマ取付部が設けられていて、
隣接する一対のディスクにおいて夫々の一対のスウィングハンマ取付部が相互に直交する方向に指向するように積層・配置されていることを特徴とする破砕装置。
【請求項３】
請求項１記載の破砕装置において、
上記各ディスクには一箇所にスウィングハンマ取付部が設けられていて、
隣接する一対のディスクにおいて夫々のスウィングハンマ取付部が１８０°の対向位置に配置されるように積層・配置されていることを特徴とする破砕装置。
【請求項４】
請求項１記載の破砕装置において、
上記ディスクには１２０°毎の三箇所にスウィングハンマ取付部が設けられていて、
隣接する一対のディスクにおいて回転方向に６０°ずれるように積層・配置されていることを特徴とする破砕装置。
【請求項５】
請求項１〜請求項４の何れかに記載の破砕装置において、
上記スウィングハンマの先端はその幅が回転体の軸方向に沿って所定量だけ拡幅されていて、隣接するスウィングハンマとの間の隙間をなくすように構成されていることを特徴とする破砕装置。
【請求項６】
請求項１〜請求項５の何れかに記載の破砕装置において、
上記複数枚のディスクは回転体の軸方向中間位置に配置されたセンターディスクを境にして左側グルーフと右側グループに二分割されていて、
上記左側グループは軸方向端から差し込まれた複数本のロングピンによってスウィングハンマが取り付けられていて、
上記右側グループは上記左側グループのロングピンとは異なり反対側の軸方向端から差し込まれた複数本のロングピンによってスウィングハンマが取り付けられていることを特徴とする破砕装置。
【請求項７】
請求項６記載の破砕装置において、
上記左側グループのスウィングハンマの取付位置と右側グループのスウィングハンマの周方向取付位置は所定角度だけずらしてあることを特徴とする破砕装置。
【発明の詳細な説明】
【技術分野】
【０００１】
本発明は、例えば、段ボール紙、樹皮、木材等を細かく砕く破砕装置に係り、特に、スウィングハンマを使用したタイプのものにおいて、スクリーンの軸方向全領域又は略全領域において、スウィングハンマの先端が通過することができ、それによって、破砕・排出効率ひいては処理能力の向上を図ることができるように工夫したものに関する。
【背景技術】
【０００２】
スウィングハンマを使用した従来の破砕装置は、例えば、図１０に示すような構成になっている。図１０は破砕装置の構成を示す縦断面図であり、まず、ケーシング２０１があり、このケーシング２０１内にはシャフト２０３が回転可能に設置されている。このシャフト２０３はその両端が上記ケーシング２０１より突出・配置されていて、軸受２０５、２０７によって夫々回転可能に支持されている。上記シャフト２０３には複数枚のディスク２０９がスペーサ２１１を介して積層・配置されている。そして、上記ディスク２０９の外周部にはスウィングハンマ２１３がロングピン２１４を介してスウィング動作可能な状態で取り付けられている。
【０００３】
上記ケーシング２０１の内側であって底部側にはスクリーン２１５が設置されている。又、上記ケーシング２０１の上部には被破砕物をケーシング２０１内に導入するための被破砕物導入ホッパ２１７が設置されている。又、上記シャフト２０３の一端にはプーリ２１９が固着されていて、図示しない駆動モータからの回転が駆動モータの回転軸に固着された同じく図示しないプーリ、ベルト、上記プーリ２１９を介してシャフト２０３に伝達されることになる。
【０００４】
上記構成によると、上記被破砕物導入ホッパ２１７を介して被破砕物がケーシング２０１内に導入される。ケーシング２０１内ではシャフト２０３が回転しており、よって、ケーシング２０１内に導入された被破砕物はスウィングハンマ２１３によって破砕されることになる。又、破砕された被破砕物はスクリーン２１５を介して篩にかけられてケーシング２０１の下方に落下することになる。又、スクリーン２１５を通過しないものについては、スウィングハンマ２１３によって繰り返し破砕されることになる。
【０００５】
尚、同種の破砕装置の構成を開示するものとして、例えば、特許文献１、特許文献２、特許文献３、特許文献４等がある。
【０００６】
【特許文献１】特開２０００−８４４２６号公報
【特許文献２】特開平１１−３００２２３号公報
【特許文献３】特開平１０−２７７４１７号公報
【特許文献４】特開平０９−３１３９６４号公報
【発明の開示】
【発明が解決しようとする課題】
【０００７】
上記従来の構成によると次のような問題があった。
まず、従来の破砕装置の場合には、シャフト２０３の軸方向に沿ったスクリーン２１５の有効幅の全領域にわたって、スウィングハンマ２１３の軌道が存在する構成にはなっておらず、スウィングハンマ２１３の先端が通過しない隙間領域が存在する。そのような隙間領域においては、上記スウィングハンマ２１３による破砕・排出作用が付与されることがないので、破砕された被破砕物がスクリーン２１５の開口部を通過することなく残留してしまうことになる。このような現象は、被破砕物が高含水率の生木材のような場合に特に顕著であった。
上記のような現象が発生するとスクリーン２１５において目詰まりが発生してしまう。その結果、排出効率ひいては破砕装置としての処理能力が大幅に低下してしまうという問題があった。
【０００８】
本発明はこのような点に基づいてなされたものでその目的とするところは、被破砕物のスクリーンでの残留を防止して、排出効率ひいてはその処理能力の向上を図ることが可能な破砕装置を提供することにある。
【課題を解決するための手段】
【０００９】
上記目的を達成するべく本願発明の請求項１による破砕装置は、ケーシングと、上記ケーシング内に回転可能に設置され外周部に複数個のスウィングハンマを備えている回転体と、上記ケーシング内であって上記回転体の外周側に設置されたスクリーンと、を備え、上記回転体を回転させることにより導入された被破砕物を上記スウィングハンマによって破砕してスクリーンを通過させる破砕装置において、上記回転体は、シャフトと、上記シャフトの外周に積層・配置された複数枚のディスクとから構成され、上記各ディスクの外周部にはスウィングハンマ取付部が設けられていて、上記複数枚のディスクは隣接するディスクのスウィングハンマ取付部が干渉しない位置関係で積層・配置されていて、隣接する何れか一方のディスクのスウィングハンマが何れか他方のディスク側に該他方のディスクの厚み分又は略厚み分と重なるように突出・配置されていて、以下、同様の規則に沿って各ディスクにスウィングハンマを取り付けることにより全体として上記スクリーンの軸方向略全領域又は全領域においてスウィングハンマの最外周端が回転・通過するように構成したことを特徴とするものである。
又、請求項２による破砕装置は、請求項１記載の破砕装置において、上記各ディスクには１８０°の対向位置に一対のスウィングハンマ取付部が設けられていて、隣接する一対のディスクにおいて夫々の一対のスウィングハンマ取付部が相互に直交する方向に指向するように積層・配置されていることを特徴とするものである。
又、請求項３による破砕装置は、請求項１記載の破砕装置において、上記各ディスクには一箇所にスウィングハンマ取付部が設けられていて、隣接する一対のディスクにおいて夫々のスウィングハンマ取付部が１８０°の対向位置に配置されるように積層・配置されていることを特徴とするものである。
又、請求項４による破砕装置は、請求項１記載の破砕装置において、上記ディスクには１２０°毎の三箇所にスウィングハンマ取付部が設けられていて、隣接する一対のディスクにおいて回転方向に６０°ずれるように積層・配置されていることを特徴とするものである。
又、請求項５による破砕装置は、請求項１〜請求項４の何れかに記載の破砕装置において、上記スウィングハンマの先端はその幅が回転体の軸方向に沿って所定量だけ拡幅されていて、隣接するスウィングハンマとの間の隙間をなくすように構成されていることを特徴とするものである。
又、請求項６による破砕装置は、請求項１〜請求項５の何れかに記載の破砕装置において、上記複数枚のディスクは回転体の軸方向中間位置に配置されたセンターディスクを境にして左側グルーフと右側グループに二分割されていて、上記左側グループは軸方向端から差し込まれた複数本のロングピンによってスウィングハンマが取り付けられていて、上記右側グループは上記左側グループのロングピンとは異なり反対側の軸方向端から差し込まれた複数本のロングピンによってスウィングハンマが取り付けられていることを特徴とするものである。
又、請求項７による破砕装置は、請求項６記載の破砕装置において、上記左側グループのスウィングハンマの取付位置と右側グループのスウィングハンマの周方向取付位置は所定角度だけずらしてあることを特徴とするものである。
【発明の効果】
【００１０】
以上述べたように本願発明による破砕装置によると、ケーシングと、上記ケーシング内に回転可能に設置され外周部に複数個のスウィングハンマを備えている回転体と、上記ケーシング内であって上記回転体の外周側に設置されたスクリーンと、を備え、上記回転体を回転させることにより導入された被破砕物を上記スウィングハンマによって破砕してスクリーンを通過させる破砕装置において、上記回転体は、シャフトと、上記シャフトの外周に積層・配置された複数枚のディスクとから構成され、上記各ディスクの外周部にはスウィングハンマ取付部が設けられていて、上記複数枚のディスクは隣接するディスクのスウィングハンマ取付部が干渉しない関係で積層・配置されていて、隣接する何れか一方のディスクのスウィングハンマが何れか他方のディスク側にディスクの厚み分又は略厚み分と重なるように突出・配置されていて、以下、同様の規則に沿って各ディスクにスウィングハンマを取り付けることにより全体として上記スクリーンの軸方向略全領域又は全領域においてスウィングハンマの最外周端が回転・通過するように構成したので、スクリーンの有効全領域又は略有効全領域にわたって何れかのスウィングハンマが回転軌道を描くことになり、よって、被破砕物の破砕・排出をより確実なものとし、排出効率ひいては処理能力を大幅に向上させることができる。
又、上記各ディスクには１８０°の対向位置に一対のスウィングハンマ取付部が設けられていて、隣接する一対のディスクにおいて夫々の一対のスウィングハンマ取付部が相互に直交する方向に指向するように積層・配置されているように構成した場合には、上記効果をより確実なものとすることができる。  
又、上記各ディスクには一箇所にスウィングハンマ取付部が設けられていて、隣接する一対のディスクにおいて夫々のスウィングハンマ取付部が１８０°の対向位置に配置されるように積層・配置されているように構成した場合にも、上記効果をより確実なものとすることができる。
又、上記ディスクには１２０°毎の三箇所にスウィングハンマ取付部が設けられていて、隣接する一対のディスクにおいて回転方向に６０°ずれるように積層・配置した場合にも、上記効果をより確実なものとすることができる。
尚、１８０°の対向位置に一対のスウィングハンマを取り付けた場合には、回転体が一回転する際に二回のハンマ破砕作用が行われる。これに対して、１８０°の対向位置に夫々一個ずつのスウィングハンマを取り付けた場合には、回転体が一回転する際に一回のハンマ破砕作用が行われる。よって、回転体の回転数が同じであるとすれば前者の方が高い破砕能力を発揮することになる。したがって、三個のスウィングハンマを取り付けた場合には、さらに破砕能力を高めることができる。
但し、本願発明の場合には、スウィングハンマの個数を特に限定するものではなく、例えば、一枚のディスクに４個以上のスウィングハンマを取り付けるような構成も本願発明の範囲である。
又、上記スウィングハンマの先端はその幅が回転体の軸方向に沿って所定量だけ拡幅されていて、隣接するスウィングハンマとの間の隙間をなくすように構成されている場合には、スクリーンの軸方向略全領域において上記スウィングハンマの最外周端が回転・通過することになり、上記効果がより確実なものとなる。
又、上記複数枚のディスクは回転体の軸方向中間位置に配置されたセンターディスクを境にして左側グルーフと右側グループに二分割されていて、上記左側グループは軸方向端から差し込まれた複数本のロングピンによってスウィングハンマが取り付けられていて、上記右側グループは上記左側グループのロングピンとは異なり反対側の軸方向端から差し込まれた複数本のロングピンによってスウィングハンマが取り付けられているように構成した場合には、分解・組立等その取扱が容易になる。
又、上記左側グループのスウィングハンマの取付位置と右側グループのスウィングハンマの周方向取付位置は所定角度だけずらしてある構成の場合には、上記効果をより確実なものとすることができる。
【発明を実施するための最良の形態】
【００１１】
以下、図１乃至図４を参照して本発明の第１の実施の形態を説明する。図１は本実施の形態による破砕装置を組み込んだ破砕プラントの一部の構成を示す側面図であり、まず、破砕装置１がある。この破砕装置１の上部には、被破砕対象物を上記破砕装置に導入する被破砕物導入装置３が設置されている。
【００１２】
上記破砕装置１は図２乃至図４に示すような構成になっている。まず、図２に示すように、ケーシング５があり、このケーシング５内にはシャフト７が回転可能な状態で設置されている。このシャフト７の両端部は上記ケーシング１を突出・配置されていて、夫々軸受９、１１によって回転可能な状態で支持されている。又、上記シャフト７の上記軸受１１側の端にはプーリ１３が固着されている。
【００１３】
又、図１に示すように、破砕装置１の横には駆動モータ１５が設置されていて、この駆動モータ１５の回転軸にはプーリ１７が固着されている。このプーリ１７と上記プーリ１３との間にはベルト１９が巻回されている。そして、駆動モータ１５が起動することにより、その回転がプーリ１７、ベルト１９、プーリ１３を介してシャフト７に伝達されることになる。
【００１４】
上記シャフト７の軸方向中間位置には、図２及び図４に示すように、円板状のセンターディスク２１が取り付けられている。そして、上記センターディスク２１を挟んで、図２、図４中左側には左側グループ２３が構成されていて、図２、図４中右側には右側グループ２５が構成されている。
上記左側グループ２３は次のような構成になっている。すなわち、図３（ａ）及び図４に示すように、まず、菱形の各頂点を切除したような長板状のディスク２７が複数枚積層・配置されている。その際、長手方向の向きが交互に９０°ずれるような配置で積層・配置されている。
【００１５】
例えば、図２、図４において最も左側に配置されたディスク２７をみてみると、その長手方向が水平方向に指向した状態で設置されていて、その長手方向の両端であって片面側（図２、図４中左側）にはスウィングハンマ２９、２９が夫々スウィング動作可能な状態で取り付けられている。上記スウィングハンマ２９、２９はロングピン３１、３１を介して、ディスク２７にスウィング動作可能な状態で取り付けられている。
【００１６】
次に、図２、図４において左側から二番目に配置されたディスク２７をみてみると、その長手方向が鉛直方向に指向した状態で設置されていて、その長手方向の両端であって片面側（図２、図４中左側）にはスウィングハンマ２９、２９がスウィング動作可能な状態で取り付けられている。上記スウィングハンマ２９、２９はロングピン３１、３１を介して、ディスク２７にスウィング動作可能な状態で取り付けられている。
【００１７】
上記左から二番目のディスク２７に取り付けられているスウィングハンマ２９、２９をみると、最も左側に配置されているディスク２７の厚み分又は略厚み分（この実施の形態の場合には厚み分）に相当する幅で上記最も左側に配置されているディスク２７側に突出した状態で取り付けられている。
以下、同様の構成によって各ディスク２７にスウィングハンマ２９、２９が取り付けられているものである。
【００１８】
次に、右側グループ２５の構成について説明する。右側グループ２５は、図３（ｂ）及び図４に示すように、左側グループ２３の構成を４５°回転させた構成になっている。
以下、詳細に説明すると、例えば、図２、図４において最も右側に配置されたディスク２７をみてみると、その長手方向が水平方向に対して４５°だけ傾いた状態で設置されていて、その長手方向の両端であって片面側（図２、図４中右側）にはスウィングハンマ２９、２９がスウィング動作可能な状態で取り付けられている。上記スウィングハンマ２９、２９はロングピン３５、３５を介して、ディスク２７にスウィング動作可能な状態で取り付けられている。
【００１９】
次に、図２、図４において右側から二番目に配置されたディスク２７をみてみると、右端に設置されたディスク２７に対して長手方向の向きが直交する方向に指向した状態で設置されていて、その長手方向の両端であって片面側（図２、図４中右側）にはスウィングハンマ２９、２９がスウィング動作可能な状態で取り付けられている。上記スウィングハンマ２９、２９はロングピン３５、３５を介して、ディスク２７にスウィング動作可能な状態で取り付けられている。
【００２０】
上記最も右側に配置されているディスク２７に取り付けられているスウィングハンマ２９、２９をみると、丁度ディスク２７の厚み分に相当する幅で図中右側に突出した状態で取り付けられている。又、右から二番目のディスク２７に取り付けられているスウィングハンマ２９、２９をみると、最も右側に配置されているディスク２７の厚み分又は略厚み分（この実施の形態の場合には厚み分）に相当する幅で上記最も右側に配置されているディスク２７側に突出した状態で取り付けられている。
以下、同様の構成によって各ディスク２７にスウィングハンマ２９、２９が取り付けられているものである。
【００２１】
又、上記左側グループ２３のロングピン３１は、図２に示すように、左側から差し込まれてセンターディスク２１に螺合されるものであり、これに対して、右側グループ２５のロングピン３５は右側から差し込まれてセンターディスク２１に螺合されるものである。
又、図２に示されているように、積層・配置されている複数枚のディスク２７の左端と右端、すなわち、左側グループ２３の左側と右側グループ２５の右側にはサイドディスク４３、４５が夫々設置されている。つまり、図２において、左側グループ２３の複数枚のディスク２７はサイドディスク４３とセンターディスク２１とによって挟まれた状態で積層・配置されており、右側グループ２５の複数枚のディスク２７はサイドディスク４５とセンターディスク２１とによって挟まれた状態で積層・配置されている。  
【００２２】
又、図２に示すように、ケーシング５の内側にはスクリーン４１が設置されている。上記複数個のスウィングハンマ２９によって破砕された被破砕物はこのスクリーン４１を介して下方に落下するように構成されているものである。
尚、この実施の形態において、上記スクリーン４１の軸方向に沿った有効領域とは、既に説明したサイドディスク４３の内側からセンターディスク２１の内側までの領域と、センターディスク２１の内側から反対側のサイドディスク４５の内側までの領域となる。
【００２３】
上記構成によると、被破砕物がケーシング５内に導入される。ケーシング５内ではシャフト７が回転しており、よって、ケーシング５内に導入された被破砕物はスウィングハンマ２９によって破砕される。又、破砕された被破砕物はスクリーン４１を介して篩にかけられてケーシング５の下方に落下する。又、スクリーン４１を通過しないものについては、スウィングハンマ２９によって繰り返し破砕されることになる。
【００２４】
以上本実施の形態によると次のような効果を奏することができる。
まず、積層・配置された複数枚のディスク２７に取り付けられているスウィングハンマ２９の取付構造をみると、隣接するディスク２７、２７の内一方のディスク２７に取り付けられたスウィングハンマ２９は他方のディスク２７側に突出・配置されていて、丁度ディスク２７の厚み分に相当する領域にて回転軌道を描くような構成になっている。よって、シャフト７の軸方向に沿ったスクリーン４１の有効全領域にわたって何れかのスウィングハンマ２９が回転軌道を描くことになる。したがって、被破砕物の破砕・排出をより確実なものとし、排出効率ひいては処理能力を大幅に向上させることができる。そして、従来問題となっていた種類の被破砕物、例えば、高含水率の生木材のような場合に対しても効果的に機能することになる。
又、本実施の形態の場合には、複数枚のディスク２７がセンターディスク２１を挟んで左右に二分割されて左側グループ２３と右側グループ２５となっていて、且つ、所定角度だけ回転方向にずれているので、夫々のグループ２３、２５で使用されているロングピン３１、３５を夫々外側から引抜可能な状態で取り付けることが可能になっている。その結果、複数枚のディスク２７からなる破砕ユニットの取扱が容易になったものであり、例えば、消耗したスウィングハンマ２９を交換するような場合もこれを容易に行うことができる。
【００２５】
次に、図５及び図６を参照して本発明の第２の実施の形態を説明する。この実施の形態の場合には、前記第１の実施の形態の場合に対して、ディスクの形状を変えるとともに、各ディスクに一個のスウィングハンマを取り付けるようにしたものである。以下、詳細に説明する。
まず、左側グループ２３には複数枚のディスク５７が積層・配置されている。上記ディスク５７は、図６に示すように、略長方形を
なしていて、長手方向一端は円弧状に形成されている。
【００２６】
又、隣接されているディスク５７、５７を みてみると、長手方向にその位置を所定量だけずらした状態で積層されている。そして、そのずらした長手方向の一端に夫々スウィングハンマ５９がスウィング動作可能な状態で取り付けられている。上記スウィングハンマ５９はロングピン６１を介してディスク５７に取り付けられている。
【００２７】
又、図６において、最も左側に配置されたディスク５７をみてみると、長手方向の一端であって片面側（図６中左側）にはスウィングハンマ５９がスウィング動作可能な状態で取り付けられている。上記スウィングハンマ５９はロングピン６１を介して、ディスク５７にスウィング動作可能な状態で取り付けられている。
又、左から二番目のディスク５７に取り付けられているスウィングハンマ５９をみると、丁度、最も左側に配置されているディスク５７の厚み分又は略厚み分（この実施の形態の場合には厚み分）に相当する幅で上記最も左側に配置されているディスク５７側に突出した状態で取り付けられている。
以下、同様の構成によって各ディスク５７にスウィングハンマ５９が取り付けられているものである。
【００２８】
次に、右側グループ２５の構成について説明する。右側グループ２５は、図６に示すように、左側グループ２３の構成を９０°回転させた構成になっている。まず、右側グループ２５には複数枚のディスク５７が積層・配置されている。上記ディスク５７は、図６に示すように、略長方形を
なしていて、長手方向一端は円弧状に形成されている。
【００２９】
又、隣接されているディスク５７、５７を みてみると、長手方向にその位置を所定量だけずらした状態で積層されている。そして、そのずらした長手方向の一端に夫々スウィングハンマ５９がスウィング動作可能な状態で取り付けられている。上記スウィングハンマ５９はロングピン６３を介してディスク５７に取り付けられている。
【００３０】
上記最も右側に配置されているディスク５７に取り付けられているスウィングハンマ５９をみると、丁度、ディスク５７の厚み分又は略厚み分（この実施の形態の場合には厚み分）に相当する幅で図中右側に突出した状態で取り付けられている。又、右から二番目のディスク５７に取り付けられているスウィングハンマ５９をみると、最も右側に配置されているディスク５７の厚み分又は略厚み分（この実施の形態の場合には厚み分）に相当する幅で上記最も右側に配置されているディスク５７側に突出した状態で取り付けられている。
以下、同様の構成によって各ディスク５７にスウィングハンマ５９が取り付けられているものである。
【００３１】
又、上記左側グループ２３のロングピン６１は、図５に示すように、左側から差し込まれてセンターディスク２１に螺合されるものであり、これに対して、右側グループ２５のロングピン６３は右側から差し込まれてセンターディスク２１に螺合されるものである。
【００３２】
その他の構成は前記第１の実施の形態の場合と同様であり、同一部分には同一符号を付して示しその説明は省略する。
そして、この第２の実施の形態の場合においても前記第１の実施の形態の場合と同様の効果を奏することができる。
【００３３】
次に、図７及び図８を参照して本発明の第３の実施の形態を説明する。前記第１の実施の形態の場合には、一枚のディスクに一個のスウィングハンマを取り付けた場合を例に挙げて示し、第２の実施の形態の場合には一枚のディスクに一個のスウィングハンマを取り付けた場合を例に挙げて示したが、この第３の実施の形態の場合には、一枚のディスクに３個のスウィングハンマを取り付けた場合を例に挙げて示すものである。
【００３４】
まず、左側グループ２３には複数枚のディスク１０７が積層・配置されている。上記ディスク１０７は、図７（ｂ）及び図８に示すように、正三角形をなしていて、三個の各頂点は円弧状に形成されている。
【００３５】
又、隣接されているディスク１０７、１０７を みてみると、周方向に６０°その位置をずらした状態で積層されている。そして、各ディスク１０７の三個の頂点位置には夫々スウィングハンマ１０９がスウィング動作可能な状態で取り付けられている。上記スウィングハンマ１０９はロングピン１１１を介してディスク１０７に取り付けられている。
【００３６】
又、図８において、最も左側に配置されているディスク１０７をみると、三個の各頂点位置であって図中左側の側面にスウィングハンマ１０９が取り付けられている。そのスウィングハンマ１０９の厚みはディスク１０７の厚み分又は略厚み分（この実施の形態の場合には厚み分）に相当するものである。次に、左側から二番目に配置されているディスク１０７をみてみると、三個の各頂点位置であって最も左側のディスク１０７側の側面にスウィングハンマ１０９が取り付けられている。そのスウィングハンマ１０９の厚みはディスク１０７の厚み分又は略厚み分（この実施の形態の場合には厚み分）に相当するものである。
以下、同様の構成によって各ディスク１０７にスウィングハンマ１０９が取り付けられているものである。
【００３７】
次に、右側グループ２５の構成について説明する。右側グループ２５は、図８に示すように、左側グループ２３の構成を３０°回転させた構成になっている。まず、右側グループ２５には複数枚のディスク１０７が積層・配置されている。上記ディスク１０７は、図７（ｂ）及び図８に示すように、正三角形をなしていて、三個の各頂点は円弧状に形成されている。
【００３８】
又、隣接されているディスク１０７、１０７を みてみると、周方向に６０°その位置をずらした状態で積層されている。そして、各ディスク１０７の三個の頂点位置には夫々スウィングハンマ１０９がスウィング動作可能な状態で取り付けられている。上記スウィングハンマ１０９はロングピン１１３を介してディスク１０７に取り付けられている。
【００３９】
又、図８において、最も右側に配置されているディスク１０７をみると、三個の各頂点位置であって右側の側面にスウィングハンマ１０９が取り付けられている。そのスウィングハンマ１０９の厚みはディスク１０７の厚み分に相当するものである。次に、右側から二番目に配置されているディスク１０７をみてみると、三個の各頂点位置であって最も右側のディスク１０７側の側面にスウィングハンマ１０９が取り付けられている。そのスウィングハンマ１０９の厚みはディスク１０７の厚み分に相当するものである。
以下、同様の構成によって各ディスク１０７にスウィングハンマ１０９が取り付けられているものである。
【００４０】
又、上記左側グループ２３のロングピン１１１は、左側から差し込まれてセンターディスク２１に螺合されるものであり、これに対して、右側グループ２５のロングピン１１３は右側から差し込まれてセンターディスク２１に螺合されるものである。
【００４１】
その他の構成は前記第１及び第２の実施の形態の場合と同様であり、同一部分には同一符号を付して示しその説明は省略する。
そして、この第３の実施の形態の場合においても、前記第１の実施の形態、第２の実施の形態の場合と同様の効果を奏することができる。
又、各ディスクに一対のスウィングハンマを取り付けた前記第１の実施の形態、各ディスクに一個ずつのスウィングハンマを取り付けた前記第２の実施の形態に比べて、回転体の回転数が同じであるとすれば、三個のスウィングハンマを取り付けているので、より高い破砕能力を得ることができる。
【００４２】
次に、図９を参照して本発明の第４の実施の形態を説明する。この実施の形態の場合には、スウィングハンマ１５７の先端部１５７ａの幅（Ｌ）をシャフト7の軸方向に沿って所定量だけ拡幅したものである。これによって、隣接するスウィングハンマ１５７との間の軌道の隙間を完全に埋めて、スクリーン４１の全有効領域にわたってスウィングハンマ１５７の軌道が描けるように構成したものである。
それによって、前記第１、第２の実施の形態の場合の効果をより高めることができる。
【００４３】
尚、本発明は前記第１〜第４の実施の形態に限定されるものではない。
まず、前記第１の実施の形態の場合には、各ディスクに取り付けられるスウィングハンマの個数を２とし、第２の実施の形態の場合には１個としているが、第３の実施の形態の場合には３個としているが、それに限定されるものではなく、４個以上の場合も考えられる。
又、ディスクの形状、スウィングハンマの形状等についても図示したものに限定されることはない。
前記第１、第２、第３の実施の形態の場合には、センターディスクを境にして左右に二分割して左側グループと右側グループを構成したが、それに限定されるものではなく、特に、グループ分けしない構成、３個以上のグループに分割する構成等様々な構成が想定される。
【産業上の利用可能性】
【００４４】
本発明は、スウィングハンマを使用した破砕装置において、スクリーンの軸方向全有効領域又は略全有効領域において、スウィングハンマが通過することができるように工夫したものに関し、例えば、含水率の高い生樹皮・木材等を細かく砕く破砕装置に好適である。
【図面の簡単な説明】
【００４５】
【図１】本発明の第１の実施の形態を示す図で、破砕装置の全体の構成を示す側面図である。
【図２】本発明の第１の実施の形態を示す図で、図１のＩＩ−ＩＩ断面図である。
【図３】本発明の第１の実施の形態を示す図で、図３（ａ）は図２のａ−ａ断面図、図３（ｂ）は図２のｂ−ｂ断面図である。
【図４】本発明の第１の実施の形態を示す図で、破砕装置の要部の構成を示す斜視図である。
【図５】本発明の第２の実施の形態を示す図で、破砕装置の構成を示す縦断面図である。
【図６】本発明の第２の実施の形態を示す図で、破砕装置の要部の構成を示す斜視図である。
【図７】本発明の第３の実施の形態を示す図で、図７（ａ）は破砕装置の一部の構成を示す側面図、図７（ｂ）は図７（ａ）のｂ−ｂ矢視図である。
【図８】本発明の第３の実施の形態を示す図で、破砕装置の要部の構成を示す斜視図である。
【図９】本発明の第４の実施の形態を示す図で、スウィングハンマの構成を示す斜視図である。
【図１０】従来例を示す図で、破砕装置の構成を示す縦断面図である。
【符号の説明】
【００４６】
１  破砕装置
５  ケーシング
７  シャフト
９  軸受
１１  軸受
１３  プーリ
１５  駆動モータ
１７  プーリ
１９  ベルト
２１  センターディスク
２３  左側グループ
２５  右側グループ
２７  ディスク
２９  スウィングハンマ
３１  ロングピン
３３  ロングピン
３５  ロングピン
３７  ロングピン
５７  ディスク
５９  スウィングハンマ
６１  ロングピン
６３  ロングピン
７７  スウイングハンマ
７９ａ  先端部  
【図１】
2008000656.tif 000003
【図２】
2008000656.tif 000004
【図３】
2008000656.tif 000005
【図４】
2008000656.tif 000006
【図５】
2008000656.tif 000007
【図６】
2008000656.tif 000008
【図７】
2008000656.tif 000009
【図８】
2008000656.tif 000010
【図９】
2008000656.tif 000011
【図１０】
2008000656.tif 000012